(57)【要約】      （修正有）【課題】接続強度が高く、操作性に優れ、指先を傷める虞もない接続具を提供する。【解決手段】ソケット部１と、ソケット部１に係脱可能なプラグ部２とからなり、ソケット部１とプラグ部２相互の離脱を防止するためのロック手段を備える接続具Ｃにおいて、ロック手段は、ソケット本体１０におけるスリーブ３との摺接面に形成される溝部と、スリーブ３に設けられ溝部に嵌り込むロック部とからなり、溝部は、ソケット本体１０の前後方向に形成される第１溝部１０７と、第１溝部１０７の前端から周方向へ延設される第２溝部１０８と、第２溝部１０８の端部から前方へ形成される保持溝部１０９とを備える。【選択図】図４
0003232117.tif 000002
【実用新案登録請求の範囲】
【請求項１】
ソケット部と、該ソケット部に係脱可能なプラグ部とからなり、
当該ソケット部と当該プラグ部相互の離脱を防止するためのロック手段を備える接続具において、
前記ソケット部は、前記プラグ部が差し込まれる側を前端とするソケット本体と、該ソケット本体の外周に設けられるスリーブと、前記ソケット本体と前記スリーブとの間に配置されるスリーブ用スプリングと、前記プラグを係止させるための係止球体と、ソケット本体内に設けられ前記係止球体のソケット本体内への脱落を防止する球体保持体と、該球体保持体の後端に当接して設けられるメインスプリングと、前記ソケット本体における後端側となるソケット側取付部と、前記ロック手段とを備え、
前記ロック手段は、前記ソケット本体における前記スリーブとの摺接面に形成される溝部と、前記スリーブに設けられ前記溝部に嵌り込むロック部とからなり、
前記溝部は、ソケット本体の前後方向に形成される第１溝部と、該第１溝部の前端から周方向へ延設される第２溝部と、該第２溝部の端部から前方へ形成される保持溝部とを備え、
前記プラグ部は、前端となる差し込み部に輪状凹部を備え、後端側にプラグ側取付部を備え、
前記ソケット部と前記プラグ部とが未接続の状態では、前記ロック部は、前記第１溝部の後端位置に配置され、
前記輪状凹部に前記係止球体が嵌り込むことで前記ソケット部と前記プラグ部とが接続され、かつロック手段によるロックがされていない状態では、前記スリーブがプラグ部側へ移動することで、前記ロック部は、前記第１溝部の前端部に配置され、
前記ソケット部と前記プラグ部とが接続されかつロック手段によるロックがされた状態では、前記ロック部は前記保持溝部に配置されるようにしたことを特徴とする接続具。
【請求項２】
前記ソケット本体は、筒状のソケット基体と、前記ソケット側取付部とを備え、
前記ソケット側取付部は、前端側に開口部を形成し、該開口部に対して前記ソケット基体を嵌入固着した構成とし、
前記溝部がソケット側取付部の周面に設けられていることを特徴とする請求項１に記載の接続具。
【請求項３】
前記ソケット基体と前記ソケット側取付部とを結合ピンで固着してなることを特徴とする請求項２に記載の接続具。
【考案の詳細な説明】
【技術分野】
【０００１】
本考案は、物品の部分相互若しくは物品相互を接続するための接続具に関する。
【背景技術】
【０００２】
従来、ネックレスなどの紐状小物品の端部相互を連結するための構成として、例えば、装飾用紐状体を接続するための接続具であって、係合体の収納穴を備えた外殻部材と、この外殻部材に内嵌される係合体と、外殻部材の内部で前記係合体をスライド自在に保持するガイド体と、装飾用紐状体の掛止部とを備えており、前記収納穴内にはテーパー面が形成され、前記係合体にはピンが挿入されるピン穴を形成するとともに前記テーパー面に対応する部位に前記ピン穴まで貫通した孔部を設け、前記孔部内には球体を転動自在に収容し、また係合体とガイド体との間には前記球体をテーパー面に圧接する方向に前記係合体を付勢するばね体を設けたことを特徴とする装飾用紐状体の接続具が公知である（例えば、特許文献１参照。）。
【０００３】
上記特許文献に係る発明は、接続具を解除する際には、ピン体が取り付けられた状態で係合体を押圧しなければならないので、操作性が十分とは言えないものであった。また、テーパー面を利用した押圧によってピン体を保持する構成であることから、接続と解除の切換が分かりづらい点で不便であり、高級感を損なうものであった。更に、ピン体はテーパー面を利用した押圧によって保持されるものであるため、ピン体が強く引っ張られると、ピン体が外れる可能性があった。
【０００４】
このような観点から、本出願人は、ネックレスなどの紐状小物品の端部相互を連結するための構成として、プラグとソケットからなる紐状小物品用端部接続具であって、前記ソケットは、プラグが差込まれる側を前端とする筒状のソケット本体と、該ソケット本体の外周に摺動可能なスリーブと、プラグを係止させるための係止球体と、前記ソケット本体の後端側を閉塞する閉止部と、閉止部の後端側に設けられるソケット側紐状体取付部と、ソケット本体内に設けられ前記係止球体のソケット本体内への脱落を防止する球体保持体と、前記閉止部と前記球体保持体との間に第１の弾性体を備え、前記ソケット本体は、前端側の周壁を貫通するガイド穴を備え、前記スリーブの摺動を一定範囲に規制すべく当該ソケット本体の外周後方に位置する第１の規制手段及び外周前方に位置する第２の規制手段を備えるとともに、第１の規制手段とスリーブとの間に当該スリーブを前方へ付勢する第２の弾性体を備えたものとし、前記係止球体は前記ガイド穴に配置され、前記スリーブは前端側の内面に前記係止球体を案内するガイド部を備え、プラグは前端となる差込部に輪状凹部を備え、後端側にプラグ側紐状体取付部を備え、前記ソケットとプラグの分離状態においては、係止球体は球体保持体によりソケット本体内への進入が阻止されスリーブのガイド部に当接した状態が保持されており、ソケットとプラグの結合状態においては、係止球体がソケット本体内でプラグの輪状凹部と係止され、スリーブが係止球体の外方への移動を阻止する構成となることを特徴とする紐状小物品用端部接続具を考案した（特許文献２参照。）
【０００５】
上記特許文献２に係る考案によれば、ネックレスなどの紐状小物品の端部相互を連結するための構成としては、操作性に優れ、接続と解除の切換が分かりやすく、不慮の離脱を防止できる点で優れたものであった。
【０００６】
一方で、当該特許文献２に係る考案の構成では、ネックレスなどの紐状小物品の端部相互の連結では、十分な強度が得られるものの、他の物品の部分相互若しくは物品相互の接続において、より大きな負荷がかかる状況では、接続強度が不十分となることも考えられる。具体的には、例えば、ペット用首輪とリードとの接続を行う接続具などに適用する場合が挙げられる。
【０００７】
ペット用首輪とリードとの接続具として、一定の強度が確保されると考えられるものとしては、例えば、連結すべき双方の被連結物の一方に取り付けられる雄部材と他方の被連結物に取り付けられる雌部材とからなり、これら雄雌両部材が凹凸嵌合してワンタッチ結合するようになっていると共に、雄部材及び雌部材に、両部材が結合した状態でその結合部周辺に所定の装飾が施されるように互いに関連性のある装飾体を夫々設けてなることを特徴とする連結具（例えば、特許文献３参照。）が公知である。
【０００８】
上記特許文献３によれば、雌雄両部材をロック手段で固定することが開示されている。また、雄雌両部材は凹凸嵌合してワンタッチ結合することが記載されている。
【０００９】
一方で、上記特許文献３の開示によれば、結合部周縁に所定の装飾が施され、ロック手段は所定の装飾内に格納された状態である。このためロック手段でより強固な結合を行うためには、雌雄両部材を結合させたのちに、装飾内に手を挿し込んで、目視又は手探りでロック手段を確認し、これを押し込む操作が必要となる。雌雄両部材の結合と、ロック手段とが異なる部分で行われる結果、連結具を持ち換えて操作を行う必要が生じ、煩わしいものとなっていた。
また、ロック手段はロックされていない状態において突出しており、指先でこれを押し込むこととなるから、指先を傷めるおそれがある。
【００１０】
また、ロック手段は所定の装飾内に格納されているため、ロックがされているかどうかの確認が簡単には行えず、ロック操作を忘れる可能性も有る。
【００１１】
また、上記特許文献３に開示される雌雄両部材のワンタッチ結合については、雌雄両部材を直接嵌合させる操作では足りず、雌部材の外筒を内筒に対してコイルばねの付勢力に抗して所定位置まで移動させる操作を行う必要がある。このため、ワンタッチ結合とはいえ、操作には工夫と慣れが必要であり、操作が簡単とは言えないものであった。
【００１２】
また、仮に上記特許文献２に開示される考案に、上記特許文献３に開示されるロック機構を追加しようとすると、ロック手段を使用する際に、指先を傷めるおそれがあることは明らかである。
【先行技術文献】
【特許文献】
【００１３】
【特許文献１】特開平９−８４６１３
【特許文献２】実用新案登録第３２２５１１４号
【特許文献３】特開２００２−３００８２６
【考案の概要】
【考案が解決しようとする課題】
【００１４】
本考案は以上の事情に鑑みてなされたものであり、接続強度が高く、操作性に優れ、指先を傷める虞もない接続具の提供を、考案が解決しようとする課題とする。
【課題を解決するための手段】
【００１５】
本考案は、ソケット部と、該ソケット部に係脱可能なプラグ部とからなり、
当該ソケット部と当該プラグ部相互の離脱を防止するためのロック手段を備える接続具において、
前記ソケット部は、前記プラグ部が差し込まれる側を前端とするソケット本体と、該ソケット本体の外周に設けられるスリーブと、前記ソケット本体と前記スリーブとの間に配置されるスリーブ用スプリングと、前記プラグを係止させるための係止球体と、ソケット本体内に設けられ前記係止球体のソケット本体内への脱落を防止する球体保持体と、該球体保持体の後端に当接して設けられるメインスプリングと、前記ソケット本体の後端側に設けられるソケット側取付部と、前記ロック手段とを備え、
前記ロック手段は、前記ソケット本体における前記スリーブとの摺接面に形成される溝部と、前記スリーブに設けられ前記溝部に嵌り込むロック部とからなり、
前記溝部は、ソケット本体の前後方向に形成される第１溝部と、該第１溝部の前端から周方向へ延設される第２溝部と、該第２溝部の端部から前方へ形成される保持溝部とを備え、
前記プラグ部は、前端となる差し込み部に輪状凹部を備え、後端側にプラグ側取付部を備え、
前記ソケット部と前記プラグ部とが未接続の状態では、前記ロック部は、前記第１溝部の後端位置に配置され、
前記輪状凹部に前記係止球体が嵌り込むことで前記ソケット部と前記プラグ部とが接続され、かつロック手段によるロックがされていない状態では、前記スリーブがプラグ部側へ移動することで、前記ロック部は、前記第１溝部の前端部に配置され、
前記ソケット部と前記プラグ部とが接続されかつロック手段によるロックがされた状態では、前記ロック部は前記保持溝部に配置されるようにしたことを特徴とする接続具を、課題を解決するための手段とする。
【考案の効果】
【００１６】
本考案によれば、ソケット部にプラグ部を差し込むと、スリーブがプラグ側へ移動し、プラグ部の輪状凹部に係止球体が嵌り込む。スリーブがプラグ側へ移動することで、ロック部材が第１溝部の前端に位置することとなる。この状態において、スリーブを第２溝部に沿って周方向へ移動させることが可能となる。スリーブを第２溝部に沿って周方向へ移動させると、ロック部材が、保持溝部へ嵌り込み、スリーブを前後方向へ動かすことができなくなり、ソケット部とプラグ部がロックされる。これによって、高い接続強度を得ることができる。
【００１７】
また、ソケット部にプラグを差し込んだ後に、ソケット部のスリーブを周方向にひねるように回転させるだけで、ロックをすることができるので、操作性に優れ、指先を傷める虞もない。
【図面の簡単な説明】
【００１８】
【図１】本考案の実施例に係る接続具における（ａ）プラグ、（ｂ）ソケットを示す一部断面とした正面図である。
【図２】本考案の実施例に係る接続具におけるソケット側取付部を示す（ａ）平面図、（ｂ）正面図である。
【図３】本考案の実施例に係る接続具におけるスリーブの（ａ）正面図、（ｂ）Ａ−Ａ断面図である。
【図４】本考案の実施例に係る接続具における（ａ）ソケットとプラグが分離した状態の一部断面とした説明図、（ｂ）ソケットにプラグを差し込んだ状態の一部断面とした説明図、（ｃ）ソケットとプラグをロックした状態を示す一部断面とした説明図である。
【図５】本考案の実施例に係る接続具を、ペット用首輪とリードとの接続具として使用した状態を示す説明図である。
【考案を実施するための形態】
【００１９】
本考案の一実施形態に係る接続具は、
ソケット部と、該ソケット部に係脱可能なプラグ部とからなり、
当該ソケット部と当該プラグ部相互の離脱を防止するためのロック手段を備える接続具において、
前記ソケット部は、前記プラグ部が差し込まれる側を前端とするソケット本体と、該ソケット本体の外周に設けられるスリーブと、前記ソケット本体と前記スリーブとの間に配置されるスリーブ用スプリングと、前記プラグを係止させるための係止球体と、ソケット本体内に設けられ前記係止球体のソケット本体内への脱落を防止する球体保持体と、該球体保持体の後端に当接して設けられるメインスプリングと、前記ソケット本体における後端側となるソケット側取付部と、前記ロック手段とを備え、
前記ロック手段は、前記ソケット本体における前記スリーブとの摺接面に形成される溝部と、前記スリーブに設けられ前記溝部に嵌り込むロック部とからなり、
前記溝部は、ソケット本体の前後方向に形成される第１溝部と、該第１溝部の前端から周方向へ延設される第２溝部と、該第２溝部の端部から前方へ形成される保持溝部とを備え、
前記プラグ部は、前端となる差し込み部に輪状凹部を備え、後端側にプラグ側取付部を備え、
前記ソケット部と前記プラグ部とが未接続の状態では、前記ロック部は、前記第１溝部の後端位置に配置され、
前記輪状凹部に前記係止球体が嵌り込むことで前記ソケット部と前記プラグ部とが接続され、かつロック手段によるロックがされていない状態では、前記スリーブがプラグ部側へ移動することで、前記ロック部は、前記第１溝部の前端部に配置され、
前記ソケット部と前記プラグ部とが接続されかつロック手段によるロック（完全固定）がされた状態では、前記ロック部は前記保持溝部に配置されるようにしたものである（第１の構成）。
【００２０】
上記構成によれば、ソケット部にプラグ部を差し込むと、スリーブがプラグ側へ移動し、プラグ部の輪状凹部に係止球体が嵌り込む。スリーブがプラグ側へ移動することで、ロック部材が第１溝部の前端に位置することとなる。この状態において、スリーブを第２溝部に沿って周方向へ移動させることが可能となる。スリーブを第２溝部に沿って周方向へ移動させると、ロック部材が、保持溝部へ嵌り込み、スリーブを前後方向へ動かすことができなくなり、ソケット部とプラグ部がロックされる。これによって、高い接続強度を得ることができる。また、ソケット部にプラグを差し込んだ後に、ソケット部のスリーブを周方向にひねるように回転させるだけで、ロックをすることができるので、操作性に優れ、指先を傷める虞もない。
【００２１】
上記第１の構成において、
前記ソケット本体は、筒状のソケット基体と、前記ソケット側取付部とを備え、
前記ソケット側取付部は、前端側に開口部を形成し、該開口部に対して前記ソケット基体を嵌入固着した構成とし、
前記溝部がソケット側取付部の周面に設けられている構成とすることができる（第２の構成）。
【００２２】
上記第２の構成によれば、プラグ部とソケット部の係合を行うためソケット基体の精度を確保しつつ、ソケット側取付部の周面に溝部を設けることで、ロック手段を設けることが可能となる。
【００２３】
上記第２の構成において、前記ソケット基体と前記ソケット側取付部とを結合ピンで固着してなる構成とすることができる（第３の構成）。
【００２４】
上記第３の構成によれば、結合ピンを設けることで、ロック部との相対的な位置の変更により、ロック状態であるか否かの判断が目視にて可能となり、利便性、安全性を向上させることができる。
【実施例】
【００２５】
以下、図面を参照し、本考案の実施例に係る接続具を説明する。図中同一又は相当部分には同一符号を付してその説明は繰り返さない。なお、説明を分かりやすくするために、以下で参照する図面においては、構成が簡略化又は模式化して示されたり、一部の構成部材が省略されたりしている。また、各図に示された構成部材の寸法比は、必ずしも実際の寸法比を示すものではない。説明上、ソケット部、プラグ部はいずれも差し込み側を前方とする。ソケット部は図１（ｂ）において左側が前方、プラグ部は図１（ａ）において右側が前方となる。
【００２６】
本考案の実施例に係る接続具Ｃは、図５に示すように、ペット用首輪５とリード６との接続に使用可能な金属製の接続具Ｃである。接続具Ｃは、図１に示すように、ソケット部１と、該ソケット部１に係脱可能なプラグ部２とからなる。
【００２７】
本実施例に係る接続具におけるプラグ部２は、図１（ａ）に示すように、円柱状のプラグ本体２１と該プラグ本体２１の先端側に縮径した円柱状の差込部２０とを備え、前記差込部２０の先端２３は凸状の湾曲面（球欠）とし、差込部２０の側面には輪状凹部２２を備えた構成である。プラグ本体２１の側面には、取付穴２３（プラグ側取付部）を有する。
【００２８】
本実施例に係る接続具におけるソケット部１は、図１（ｂ）に示すように、ソケット本体１０と、ソケット本体１０の外周に摺動可能な筒状のスリーブ３と、ソケット本体１０とスリーブ３との間に配置されるスリーブ用スプリング３０と、プラグ２を係止させるための係止球体４と、係止球体４のソケット本体１０内への脱落を防止する球体保持体１２と、球体保持体１２の後端に当接して設けられるメインスプリング１３と、メインスプリング１３の後端に当接する基体１４と、を有する。
【００２９】
ソケット本体１０は、筒状のソケット基体１０Ａと、ソケット側取付部１０Ｂとを連結ピン１０Ｃで連結してなる。
【００３０】
ソケット基体１０Ａは、係止球体４が外部へ脱落しないように、その前端を拡径した拡径部１００を設けてある。拡径部１００に隣接する側周面には、係止球体４を保持するための保持穴１０１を備えている。後端側の側周面には、対向する２ヶ所に連結ピンを通すための第１の貫通穴１１１を備えている。ソケット基体１０Ａの内面における前方側には、縮径部１１４を設けている。
【００３１】
ソケット側取付部１０Ｂは、図２に示すように、前端側を円筒部１０２とし、後端側は閉口して円柱部１０３とし、円柱部１０３の後端側には細幅部１０４を設け、細幅部１０４には取付穴１０５を備えた構成を有する。円筒部１０２には、対向する２ヶ所に連結ピンを通すための第２の貫通穴１１２を備えている。
【００３２】
また、前端側の側周面には、ロック手段を構成するための溝部１０６を設けてある。溝部１０６は、ソケット本体の前後方向に形成される第１溝部１０７と、該第１溝部１０７の前端から周方向へ延設される第２溝部１０８と、該第２溝部１０８の端部から前方へ形成される保持溝部１０９とを有する。
【００３３】
基体１４は、連結ピンを通すための第３の貫通穴１１３を備えている。
【００３４】
前記連結ピン１０Ｃは、ソケット基体１０Ａの第１の貫通穴１１１と、ソケット側取付部１０Ｂの第２の貫通穴１１２と、ソケット基体１０Ａ内の後端に配置された基体１４の第３の貫通穴１１３とを連通して設けられている。当該連結ピン１０Ｃによって、ソケット基体１０Ａとソケット側取付部１０Ｂは一体となっており、基体１４は、連結ピン１０Ｃが貫通していることにより、ソケット基体１０Ａ内に固定されている。
【００３５】
スリーブ３は、図１（ｂ）および図３に示すように、本発明のロック手段を構成するロックピン３１（ロック部）を備えている。ロックピン３１は、スリーブ３を貫通して設けられている。ロックピン３１の上端はスリーブの外側に突出しており、ロックピン３１の下端はスリーブの内周面から突出している。またスリーブ３は、内周面のうち前端側寄りとなる位置に縮径部３２を有している。
ロックピン３１の下端は、図２に示すソケット側取付部１０Ｂにおける溝部１０６内に嵌り込むようになっている。スリーブ３は、ロックピン３１が溝部１０６に沿って可動できる範囲で、前後方向および周方向へのスライドが可能となる。
【００３６】
球体保持体１２は、図１（ｂ）に示すように、ソケット基体１０Ａの内径に略等しい外径を有し、後部外周には前部よりも拡径した拡径部１２０を有する。前面にはプラグ部２の差込部２０の先端の凸状面に沿う凹状面を有する。
【００３７】
以上の構成を有する接続具Ｃの接続操作について以下に説明する。
図４（ａ）に示すプラグ部２が差し込まれていない状態（以下、「通常状態」という。）において、球体保持体１２の拡径部１２０と、ソケット基体１０Ａの縮径部１１４とが当接し、球体保持体１２は、メインスプリング１３によって、前方へ付勢され、球体保持体１２が、ソケット基体１０Ａの前端開口を閉塞するようになっている。
【００３８】
通常状態から、上記構成のソケット部１に対してプラグ部２を挿入すると、プラグ部２の差込部２０の前端面と、ソケット部１の球体保持体１２の前端面とが当接する。そして、プラグ部２の前進に伴い、球体保持体１２が後退し、係止球体４がプラグ部２と当接する。
【００３９】
プラグ部２が前進することで、スリーブ３はその縮径部３２により係止球体４をプラグ部２側へ押し込むように作用する。係止球体４は、プラグ部２の輪状凹部２２内に嵌り込む。スリーブ３は、スリーブ用スプリングの付勢によって前進し、縮径部３２の前端面が、ソケット基体１０Ａの拡径部１００に当接する。
このスリーブ３の前進に伴ってロックピン３１は、第１溝部１０７の後端から第１溝部１０７の前端へ移動し、ロックピン３１の周方向の移動（即ち、第２溝部への移動）が可能となる（図４（ｂ）参照。）。この状態で、ソケット部１とプラグ部２との連結状態が形成されるが、ソケット部１とプラグ部２とのロックはされておらず、ソケット部１とプラグ部２とを分離させる方向に過度の負荷がかかった場合には、ソケット部１とプラグ部２とは分離する可能性がある状態である。
【００４０】
次いで、スリーブ３を第２溝部１０８に沿って周方向に移動させると、ロックピン３１が第２溝部１０８内に進入して、第２溝部１０８の端部から前方に形成された保持溝部１０９に嵌り込む（図４（ｃ）参照。）。ロックピン３１が、保持溝部１０９に嵌り込むことによって、スリーブ３は前後方向への移動が不可能となり、係止球体４は、スリーブ３の縮径部３２に押圧された状態で、かつ、プラグ部２の輪状凹部２２内に嵌り込んだ状態が維持され、ソケット部１とプラグ部２とのロックが完了する。
【００４１】
ソケット部１とプラグ部２とを離脱させるためには、先ず、スリーブ３を取付時と逆向きに周方向へスライドさせる。ロックピン３１は、保持溝部１０９から第２溝部１０８内に進入して、第１溝部１０７の前端部へ移動する（図４（ｂ）参照。）。この状態において、スリーブ３の後退方向への移動が可能となる。
【００４２】
スリーブ３を後退方向へ移動させると、ロックピンは、第１溝部１０７の前端から第１溝部１０７の後端へ移動する。同時にスリーブの縮径部３２は後退し、係止球体４はスリーブの内周面に当接する。球体保持体１２は、メインスプリング１３の付勢により前進し、プラグ部２を押し戻して、ソケット基体１０Ａの前端開口を閉塞する（図４（ａ）参照。）。これによって、ソケット部１とプラグ部２との連結は解除される。
【００４３】
本考案による接続具Ｃによれば、接続の際には、ソケット部１にプラグ部２を挿し込み、ソケット部１のスリーブ３を周方向に移動させるだけで行えるため、安全かつ簡単に、強固な連結を行うことができる。また、接続を解除する場合にも、スリーブ３を逆方向へ移動させ、次いで、そのスリーブ３を後退させるだけで、行えるため、安全かつ簡単に、解除を行うことができる。
【００４４】
また、実施例に示したように、連結ピンを用いる場合には、連結ピンとロックピンとの相対的な位置によって、ロック状態かロック解除状態かが一目で判断でき、安全性を高めることができる。
【００４５】
本考案の実施例において溝部１０６は、ソケット側取付部１０Bに対して設けているが、本考案は当該構成に限られるものではなく、筒状のソケット基体１０Ａに設けることも可能である。また、溝部１０６はソケット側取付部１０Ｂを貫通する長穴として、ソケット基体１０Ａの周面を底部とする溝部１０６とすることも可能である。即ち、本考案におけるソケット側取付部１０Ｂに設けられる溝部１０６は、有底のものも、無底（長穴）のものも含む趣旨である。
【００４６】
本考案の上記実施例においては、ペット用首輪とリードとの接続を行うための接続具を示したが、本考案における接続具は当該ペット用首輪とリードの接続を行うための接続具に限定されるものではない。例えば、本考案の接続具Ｃは、ポーチやトートバッグ、リュックサック、ショルダーバッグ、巾着等の紐部を着脱可能とする接続具として使用することもできる。また例えば、キーホルダー、ネームタグ、ストラップ等に使用される紐やチェーンを相互に着脱させる手段として使用することもできる。また、懐中時計のチェーン、キーチェーン、ウォレットチェーン、ペットボトルホルダー、ウエストポーチ、ブレスレッド、アームバンドの構成に本考案に係る接続具を使用することも可能である。また、強固な連結を実現できることから、例えば、登山用ロープや高所作業で利用する安全紐、救助用ロープ等と、対象となる物品とを接続するための接続具として使用することも可能である。
【符号の説明】
【００４７】
Ｃ        接続具
１        ソケット部
１０      ソケット本体
１０Ａ    ソケット基体
１０Ｂ    ソケット側取付部
１０Ｃ    連結ピン
１００    拡径部
１０１    保持穴
１０２    円筒部
１０３    円柱部
１０４    細幅部
１０５    取付穴
１０６    溝部
１０７    第１溝部
１０８    第２溝部
１０９    第３溝部
１１１    第１の貫通穴
１１２    第２の貫通穴
１１３    第３の貫通穴
１１４    縮径部（ソケット基体の縮径部）
１２      球体保持体
１２０    拡径部
１３      メインスプリング
１４      基体
２        プラグ部
２０      差込部
２１      プラグ本体
２２      輪状凹部
２３      取付穴
３        スリーブ
３０      スリーブ用スプリング
３１      ロックピン
３２      縮径部（スリーブの縮径部）
４        係止球体
５        ペット用首輪
６        リード
【図１】
0003232117.tif 000003
【図２】
0003232117.tif 000004
【図３】
0003232117.tif 000005
【図４】
0003232117.tif 000006
【図５】
0003232117.tif 000007